(57)【特許請求の範囲】
【請求項１】
少なくとも先端部に遮光紙が固定された帯状の写真フイルムと、軸方向にスリットが形成され、前記写真フイルムがロール状に巻き付けられる円柱状の巻軸を有するスプールとからなり、前記遮光紙の先端部には少なくとも１個の係止孔を穿設し、前記スリットを構成する上下壁のうち一方の壁には、前記係止孔に係合される係止爪を形成するとともに、他方の壁には、前記スリットに挿入される遮光紙を前記一方の壁側へ押しつける押さえリブを形成した写真用ロールフイルムにおいて、
前記係止爪は、前記一方の壁に垂直に立設され、一対の傾斜縁が前記スリットの各開口にそれぞれ対面するように形成された台形板状の縦爪と、この頂上近傍の両側面にスプールの軸方向に延びるように形成された一対の横爪とからなり、縦爪の厚み方向の中心位置から横爪の先端までの長さＬが、縦爪の傾斜縁と横爪との最短水平距離をａ，傾斜縁の傾斜角をθ，前記一方の壁からスリットの開口に対面する横爪の端までの高さをＨとしたとき、次の数式１を満たすとともに、前記係止孔が係止爪に係合した状態で横爪の先端が係止孔の縁と重なった部分の軸方向の距離である係止量ファクターＫが、係止孔の半径をｒ，縦爪の厚みの半分をｓとしたとき、次の数式２を満たし、かつ２．８ｍｍ≦ｒ≦６．０ｍｍのときにＫ≧０．５ｍｍとなるようにしたことを特徴とする写真用ロールフイルム。
【数１】
0003695730.tif 000018
【数２】
0003695730.tif 000019
【請求項２】
前記遮光紙の先端部は、屈曲部を有しない真っ直ぐな形態としたことを特徴とする請求項１記載の写真用ロールフイルム。
【発明の詳細な説明】
【０００１】
【発明の属する技術分野】
本発明は、写真用ロールフイルムに関し、更に詳しくは１２０型，２２０型等の写真用ロールフイルムを構成する遮光紙及びスプールの改良に関するものである。
【０００２】
【従来の技術】
写真用ロールフイルムとしては、１２０型と２２０型が知られており、これらはいずれも遮光紙付の帯状の写真フイルムをスプールの軸部にロール状に巻き付けたもので、先端部を約２ｃｍ程度折って粘着テープで止めた形態で提供されている。１２０型の写真用ロールフイルムは、写真フイルムのバック面の全体を覆うように写真フイルムの全長より長い遮光紙が一端部を接着テープで固定して設けられている。２２０型の写真用ロールフイルムは、リーダーペーパー，トレーラーと称される短い遮光紙を写真フイルムの前後に固定し、写真フイルムを長くして１２０型より撮影コマ数を多くしたものである。
【０００３】
スプール５は、ＩＳＯ  ７３２−１９８２，ＡＮＳＩ  ＰＨＩ  ２１−１９８０，ＪＩＳ  Ｋ７５１２−１９８５等で規格化されたもので、軸部の両端部には遮光紙の両端面を規制する一対のフランジが形成され、また軸部の中央部には軸方向に長く延びたスリットが形成されている。
【０００４】
写真用ロールフイルムを用いるには、前回に使用した写真用ロールフイルムの空スプールをフイルム巻き取り室にセットして、このスプールのスリットに新たな写真用ロールフイルムの遮光紙の先端部を挿入する。前述したとおり遮光紙の先端部が約２ｃｍ折られているから、この折り線をスリットの縁に合わせるようにして遮光紙を折り曲げた後、スプールを回転して遮光紙をスプールの周りに巻き付ける。
【０００５】
ところが、遮光紙の先端部に折り線があってもスプールを少なくとも１回転させるまでは、遮光紙の先端部がスリットから抜け出ないように指で押さえておく必要があり、写真用ロールフイルムの装填操作は不慣れな初心者にとってたいへん面倒なものであった。
【０００６】
そこで、本出願人は、遮光紙の先端近傍に円形の係止孔を形成するとともに、スプールのスリットを構成する一方の壁面の中央に係止爪を設け、また他方の壁面に遮光紙を係止爪側に押しつける一対の押さえリブを係止爪を挟むようにして設ける提案を行った（特願平７−２３６９９３号）。前記係止爪は、壁面に立設された縦爪と、この頂上近傍にスプールの軸方向に伸びた一対の横爪とからなり、前記係止孔は一対の横爪が同時に入る径になっている。これによれば、遮光紙の先端をスプールのスリットに挿入するだけで、遮光紙の係止孔がスプールの係止爪に係合して遮光紙がスプールに係止されるようになり、フイルム装填初期に遮光紙を指で押さえる等の面倒な手間が不要になる。
【０００７】
【発明が解決しようとする課題】
しかしながら、上述の提案において、遮光紙の先端部をスプールのスリットに挿入する際に、先端部の先端縁が係止爪、特に横爪に引っ掛かってスムーズに挿入できない場合がある。先端部の先端縁が係止爪に引っ掛かった際に無理に挿入しようとすると、上述の折り目で先端部が座屈し、遮光紙を挿入する力が遮光紙の先端部まで伝わらなくなり、それ以上の挿入ができなくなる。
【０００８】
本発明は、遮光紙の先端部をスプールのスリットに挿入する際に先端部の先端縁がスプールの係止爪に引っ掛かることなく、確実にスプールに係止されるようにした写真用ロールフイルムを提供することを目的とする。
【０００９】
【課題を解決するための手段】
上記目的を達成するために、本発明の写真用ロールフイルムは、少なくとも先端部に遮光紙が固定された帯状の写真フイルムと、軸方向にスリットが形成され、前記写真フイルムがロール状に巻き付けられる円柱状の巻軸を有するスプールとからなり、前記遮光紙の先端部には少なくとも１個の係止孔を穿設し、前記スリットを構成する上下壁のうち一方の壁には、前記係止孔に係合される係止爪を形成するとともに、他方の壁には、前記スリットに挿入される遮光紙を前記一方の壁側へ押しつける押さえリブを形成した写真用ロールフイルムにおいて、
前記係止爪は、前記一方の壁に垂直に立設され、一対の傾斜縁が前記スリットの各開口にそれぞれ対面するように形成された台形板状の縦爪と、この頂上近傍の両側面にスプールの軸方向に延びるように形成された一対の横爪とからなり、縦爪の厚み方向の中心位置から横爪の先端までの長さＬが、縦爪の傾斜縁と横爪との最短水平距離をａ，傾斜縁の傾斜角をθ，前記一方の壁からスリットの開口に対面する横爪の端までの高さをＨとしたとき、次の数式３を満たすとともに、前記係止孔が係止爪に係合した状態で横爪の先端が係止孔の縁と重なった部分の軸方向の距離である係止量ファクターＫが、係止孔の半径をｒ，縦爪の厚みの半分をｓとしたとき、次の数式４を満たし、かつ２．８ｍｍ≦ｒ≦６．０ｍｍのときにＫ≧０．５ｍｍとしたものである。
【００１０】
【数３】
0003695730.tif 000002
【００１１】
【数４】
0003695730.tif 000003
【００１２】
また、前記遮光紙の先端部は、屈曲部を有しない真っ直ぐな形態としたものである。
【００１３】
【発明の実施の形態】
本発明の写真用ロールフイルムの外観を示す図２において、写真用ロールフイルム１は、スプール２の軸部２ａに、写真フイルム３（図３参照）と遮光紙４とからなる１２０タイプの遮光紙付き写真フイルム５をロール状に巻き付け、遮光紙４の先端部４ａを粘着テープ６で止めたものであるが、遮光紙４の先端部４ａを折っていない点が従来のものと異なる。これにより、軸部２ａの中央部に形成されたスリット７への挿入操作において、遮光紙４の先端部４ａが座屈しにくくなり、挿入力が先端部４ａまで伝わりやすくなる。軸部２ａに巻き付けられる際に外側となる遮光紙４の表面はメーカー名や１２０タイプ名等が印刷された印刷面となっており、内側となる裏面は遮光用の黒色層が施された黒色面となっている。また、軸部２ａの両端には、フランジ２ｂが形成されており、これらの各フランジ２ｂの中央には、軸装着穴２ｃが形成されている。
【００１４】
遮光紙付き写真フイルム５をスプール２から外して真っ直ぐに伸ばした状態を示す図３において、遮光紙４は、写真フイルム３よりも長尺のものが用いられ、その先端部４ａには巻き取りスプールの爪に掛けるための係止孔４ｂが形成されている。写真フイルム３は、そのベース面を遮光紙４の黒色面に合わせるように重ねられ、写真フイルム３の先端部の接合テープ８によって遮光紙４と接合されている。
【００１５】
スプール２をスリット７の一方の開口部７ａから示す図４において、スリット７を構成する一方の壁１２ａの中央部には、前記係止孔４ｂに係合して遮光紙４の先端部４ａをスプール２の軸部２ａに係止するＴ字形をした係止爪１５が突設されている。この係止爪１５は、壁１２ａから垂直に立設された台形板状の縦爪１５ａと、この頂上部近傍の両側面から軸方向に延びた一対の横爪１５ｂとからなる。また、スリット７を構成する他方の壁１２ｂには、遮光紙４を係止爪１５側に押しつける一対の押さえリブ１６が係止爪１５を中心に等間隔で形成されている。なお、押さえリブ１６同士の間隔Ｄ2 は、先端部４ａの幅Ｄ1 よりやや広くなっており、押さえリブ１６間で先端部４ａを係止爪１５へ案内するようになっている。
【００１６】
図４のＩ−Ｉ断面を示す図１において、係止爪１５，押さえリブ１６のいずれも軸部２ａの軸方向と直交する側から観て、左右対称形をしており、スリット７の開口部７ａ，７ｂのどちら側からも同じように遮光紙４の先端部４ａを係止爪１５に向かって案内できるようになっている。
【００１７】
相対する壁１２ａ，１２ｂは、遮光紙４の先端部４ａを受け入れやすく、かつ先端部４ａをスリット７の中間部に導くように、緩やかな傾斜面を有する山形状になっている。すなわち、壁１２ａ，１２ｂの中央部同士の間隔Ｄ3 は例えば２．０ｍｍで、スリット７の開口部７ａ，７ｂの幅Ｄ4 は例えば２．３ｍｍにしてある。カメラ側のフイルム押さえローラの太さが一般に２．４ｍｍ径であるから、これより幅Ｄ4 を狭くしてフイルム押さえローラが開口部７ａ，７ｂに嵌まり込むのを防止するためである。
【００１８】
係止爪１５の縦爪１５ａの傾斜縁１８は、角度が２段階になっている。頂上側の傾斜縁１８ａは、その傾斜角θが大きいと、裾野側の傾斜縁１８ｂとの切替点で遮光紙つかえが発生するおそれがあるから、傾斜角θは４５°以下が好ましい。また、傾斜角θがあまり小さ過ぎても係止孔４ｂとの係止性が悪化するので、３０°以上が好ましい。
【００１９】
図５において、先端部４ａをスリット７の開口部７ａから挿入していくと、二点鎖線で示すように、先端部４ａは押さえリブ１６によって両脇をガイドされるから、遮光紙４の幅方向の中心がスリット７の長手方向の中心から外れることなく真っ直ぐに係止爪１５に向かって挿入される。先端部４ａは、縦爪１５ａの傾斜縁１８に乗り上げ、この傾斜縁１８から抵抗を受けることにより樋形状に変形（以下樋状カールという）しながら傾斜縁１８に沿って移動し、縦爪１５ａの頂上部を乗り越える。なお、樋状カールは遮光紙４の巻癖に起因していることが分かっているが、写真用ロールフイルム１は図２に示すようなロール形態で提供されるため、遮光紙４の巻癖を防ぐことは事実上不可能であり、必ずといっていいほど樋状カールは発生する。また、この樋状カールによって、後述するように、先端部４ａの先端縁が横爪１５ｂの縁に引っ掛かりやすくなる。
【００２０】
遮光紙４の挿入が進むと、先端部４ａから続く両側の傾斜縁４ｃ，４ｄが押さえリブ１６によって押さえられ、遮光紙４が係止爪１５側に押しつけられるようになる。係止孔４ｂの中心が係止爪１５の中心にほぼ一致する位置まで遮光紙４が挿入されると、実線で示すように、係止孔４ｂに係止爪１５が入り込む。この後、スプール２を回転させると、遮光紙４がスリット７から抜かれる方向に引っ張られ、遮光紙４が傾斜縁１８ａに沿って壁１２ｂ側に移動して係止爪１５から抜けようとするが、図６に示すように、横爪１５ｂの角に係止孔４ｂの縁が引っ掛かり、遮光紙４が係止爪１５に係止される。なお、先端部４ａのスリット７への挿入方向がスリット７の長手方向の中心から外れた場合には、傾斜縁４ｃ，４ｄがスリット７の縁に案内されて軌道修正される。
【００２１】
係止爪１５に係止孔４ｂが係止された状態を拡大して示す図７において、係止孔４ｂの縁が横爪１５ｂの角と重なったハッチングで示すほぼ三角状部２０のスプール軸方向の幅を係止量ファクターＫとする。そして、係止孔４ｂの半径をｒ，縦爪１５ａの厚みの半分（以下縦爪１５ａの厚みという）をｓ，横爪１５ｂの長さ（先端同士の長さの半分）をＬとすると、係止孔４ｂの縁と縦爪１５ａとの係合端Ｐから横爪１５ｂの縁２１までの距離ｆは、次の数式５で表される。
【００２２】
【数５】
0003695730.tif 000004
【００２３】
この数式５を変形すると、係止量ファクターＫは、次の数式６で表される。
【００２４】
【数６】
0003695730.tif 000005
【００２５】
一方、係止爪１５の中心に係止孔４ｂの中心が重なった状態を示す図８において、横爪１５ｂの幅の半分をｄとすると、係止孔４ｂの縁と横爪１５ｂとのクリアランスである係合余裕幅Ｊは、次の数式７で表すことができる。この係合余裕幅Ｊは、遮光紙４の挿入ブレ等を勘案して０．３５ｍｍ以上が好ましい。
【００２６】
【数７】
0003695730.tif 000006
【００２７】
係止孔４ｂの半径ｒは、穿設用の刃の制作上の制約から約３ｍｍ以上が望ましい。また、トリミング屑の径が小さいほど静電気により製品に付着する等の問題が発生しやすくなる。したがって、係止孔４ｂの半径ｒは大きい方がよいかのようであるが、大きくし過ぎると、上記数式６から係止量ファクターＫが小さくなり、スプール２と遮光紙４との係止が不十分になる。実験の結果、好ましくはＫ≧０．５ｍｍ、更に好ましくはＫ≧０．８ｍｍとするのがよいことが分かった。また、半径ｒを大きくし、係止量ファクターＫを大きくしたい場合、当然横爪１５ｂの長さＬも大きくする必要が生じ、後述する先端部４ａの樋状カールによる先端縁と横爪１５ｂとの引っ掛かり現象が発生しやすくなる。このような理由から、係止孔４ｂの半径ｒは、２．８ｍｍ≦ｒ≦６ｍｍを満たすことが好ましいことが分かった。
【００２８】
また、縦爪１５ａの厚みｓは、樹脂の流れやすさ及びヒケの問題等の成型性から０．５ｍｍ≦ｓ≦０．９ｍｍの範囲であることが望ましい。
【００２９】
また、図１において、遮光紙４の先端部４ａをスリット７の開口７ａに挿入してゆくと、先端部４ａは縦爪１５ａの傾斜縁１８ａに乗り上げながらこれに沿って頂上部に向かう。この間に、遮光紙４の先端部４ａは樋状にカールするため、この先端縁が横爪１５ｂの端に引っ掛かる場合がある。横爪１５ｂの縁２１から縦爪１５ａの傾斜縁１８ａまでの最短水平距離をａとすると、傾斜縁１８ａに接触している先端部４ａの先端縁から横爪１５ｂの縁２１までの距離はasinθとなる。遮光紙４が係止爪１５に係止した際には、係止孔４ｂの縁が頂上部側に引っ張られてやや変形するから、asinθは前記数式５，６におけるｆにほぼ等しくなる。そこで、ｆの代わりにasinθを数式６に代入すると、次の数式８を得る。
【００３０】
【数８】
0003695730.tif 000007
【００３１】
前述したように、遮光紙４の先端部４ａが係止爪１５に引っ掛かる要因は、先端部４ａの樋状カールである。そこで、樋状にカールした遮光紙４の先端部４ａが横爪１５ｂの両端に引っ掛かった状態を示す図９において、樋状カールの中心と横爪１５ｂの端との距離をＣＲとすると、このＣＲと、横爪１５ｂの長さＬと、asinθとの間には、次の数式９に示す関係が成り立つ。なお、図９は、係止爪１５を開口部７ａから示した図であるが、壁１２ａ，１２ｂと平行に見たものではなく、一方の壁１２ａに寄った位置から傾斜縁１８に沿って斜めに見たものである。
【００３２】
【数９】
0003695730.tif 000008
【００３３】
この数式９を変形すると、ＣＲは次の数式１０で表すことができる。
【００３４】
【数１０】
0003695730.tif 000009
【００３５】
この数式１０より明らかなように、ＣＲの値は、asinθの値とＬの値とによって一義的に決まるもので、ＣＲより樋状カールの半径ＢＲが小さければ、遮光紙４の先端部４ａが横爪１５ｂに引っ掛かり、大きければ引っ掛からないから、ＣＲを引っ掛かり係数と呼ぶ。すなわち、遮光紙４の先端部４ａが横爪１５ｂに引っ掛からない条件は、次の数式１１で表される。
【００３６】
【数１１】
0003695730.tif 000010
【００３７】
数式８に基づいて、例えばｓ＝０．７５ｍｍ，ｒ＝３ｍｍ，θ＝３５°で係止量ファクターＫの値を種々に変化させたときのＬとａとの関係は、図１０に示すようなグラフで表すことができる。矢印で示す現行爪のａ＝０．３４のところで見ると、０．５ｍｍ≦Ｋ≦０．９ｍｍの範囲では、１．８ｍｍ≦Ｌ≦２．２ｍｍとなる。そして、この同じ条件下で数式１０によるグラフを描くと、図１１に示すようになる。同様に、矢印で示すａ＝０．３４のところで見ると、０．５ｍｍ≦Ｋ≦０．９ｍｍの範囲では、８ｍｍ≦ＣＲ≦１２ｍｍとなる。
【００３８】
次に、ＣＲとＬとの関係をグラフ化すると、図１２に示すようになる。遮光紙４の先端部４ａを横爪１５ｂと引っ掛かることなく挿入できた場合には、挿入性が良好として○印をグラフ線上に付し、やや引っ掛かった場合には△印、また引っ掛かった場合には、●印を付した。また、グラフ線のやや上方に、係止爪１５と係止孔４ｂとが確実に係止された場合には○印、不安定な場合には△印、係止されなかった場合には×印をそれぞれ付した。これから、明らかなように、挿入性が良好となるのは、ＣＲ≦１２ｍｍであり、挿入性及び係止性がともに良好になるのは、８ｍｍ≦ＣＲ≦１２ｍｍ，１．８ｍｍ≦Ｌ≦２．２ｍｍの範囲である。
【００３９】
一方、遮光紙４の樋状カールの半径ＢＲは、横爪１５ｂの壁１２ａ中央部からの高さをＨ（図１参照），樋状カールした遮光紙４の両サイド端が壁１２ａに接する位置までの軸部２ａの中心からの距離をｂとすると、次の数式１２で表される。
【００４０】
【数１２】
0003695730.tif 000011
【００４１】
この数式１２を変形すると、遮光紙４の樋状カールの半径ＢＲは、次の数式１３で表される。
【００４２】
【数１３】
0003695730.tif 000012
【００４３】
現行爪，遮光紙の実験データより遮光紙４の剛性が低い場合にはＢＲ＝１２ｍｍとなるから、ａ＝０．３４ｍｍ，θ＝３５°，Ｈ＝１．４５ｍｍとすると、ｂ2 ＝４３．３０ｍｍ2 となる。遮光紙４の剛性から、カール高さｈ（＝ａsiθ＋Ｈ／ cosθ）が０．８ｍｍ≦Ｈ≦１．４５ｍｍの範囲で変化してもｂの値はほぼ変わらないと仮定したとき、ｂ2 ＝４３．３０ｍｍ2 を数式１３に代入すると、次の数式１４を得る。なお、遮光紙４の剛性が高くなると、ｂ2 の値はもっと小さい値になる。
【００４４】
【数１４】
0003695730.tif 000013
【００４５】
前記数式１１を満たせば、遮光紙４の先端部４ａは横爪１５ｂに引っ掛からないから、次の数式１５を得る。
【００４６】
【数１５】
0003695730.tif 000014
【００４７】
この数式１５から、次の数式１６が得られる。
【００４８】
【数１６】
0003695730.tif 000015
【００４９】
この数式１６に基づいてｓ＝０．７５ｍｍ，ｒ＝３ｍｍ，θ＝３５°のときのＬとａとの関係を表すと、図１３に示すグラフが得られる。また、Ｈ＝１．１ｍｍ，１．４５ｍｍとしたときのＬとａとの関係も含む。１．８ｍｍ≦Ｌ≦２．２ｍｍ，Ｋ≧０．５ｍｍを満たす斜線で示した範囲Ｑが、係止爪１５の最適寸法範囲である。なお、Ｈを０．８５ｍｍ以下とすると、遮光紙４のスリット７への挿入性は良化するが、爪高さが足らず、係止性が悪化する傾向となる。したがって、０．８５ｍｍ≦Ｈ≦１．４５ｍｍが好ましい。このことから、Ｄ3 ＝２ｍｍ及び横爪１５ｂの厚みを考慮すると、係止爪１５の高さＨ1 は、１．３ｍｍ〜１．７５ｍｍが好ましいことが分かる。
【００５０】
なお、押さえリブ１６の高さは、壁１２ａとのクリアランスができるだけ小さい方がよいが、成型性からクリアランスは０．２５ｍｍ〜０．３ｍｍとする必要がある。
【００５１】
このように構成された写真用ロールフイルム１の作用を説明する。スリット７の開口部７ａに遮光紙４の先端部４ａを挿入する際に、遮光紙４の黒色面が壁１２ａ側を向いている場合には、先端部４ａは遮光紙４の巻癖によって下側を向いている。このため、先端部４ａは縦爪１５ａの傾斜縁１８に当接した後、これに沿って頂上部に向かいながら樋状カールになる。しかしながら、係止爪１５の引っ掛かり係数ＣＲが樋状カールＢＲ以下となるように、横爪１５ｂの長さＬ，縦爪１５ａの角度θ，縦爪１５ａの傾斜縁１８ａと横爪１５ｂとの最短水平距離ａを決めてあるから、先端部４ａの先端縁が横爪１５ｂに引っ掛かることなく、係止爪１５の頂上部を越える。
【００５２】
図５に示すように、傾斜縁４ｃ，４ｄがスリット７の両端に当接されると、係止孔４ｂの中心が係止爪１５の中心に一致し、係止孔４ｂ内に横爪１５ｂの輪郭が包含された状態になるとともに、押さえリブ１６によって壁１２ａ側に押しつけられるから、係止爪１５の上部が係止孔４ｂに落ち込む。次に、スプール２を回転させると、相対的に遮光紙４はスリット７から抜け出る方向に移動される。これにより、係止孔４ｂの縁が縦爪１５ａの傾斜縁１８ａに沿って移動し、図６に示すように、横爪１５ｂの両端が係止孔４ｂの縁と係合し、遮光紙４の先端部４ａがスプール２に係止される。
【００５３】
軸部２ａの回転角度が図１に示す状態と１８０°違っていた場合について説明する。先端部４ａを開口部７ａに対して真っ直ぐに差し込んだときには、先端部４ａは押さえリブ１６側の壁１２ｂに向かうため、先端部４ａのカールは傾斜縁１８に沿っており、先端部４ａは係止爪１５からほとんど抵抗を受けないまま係止爪１５の頂上部を越えてしまう。しかしながら、先端部４ａを開口部７ａに対して斜めに、すなわち先端部４ａを係止爪１５の裾野に向かって差し込んだときには、先端部４ａは縦爪１５ａの傾斜縁１８から大きな抵抗を受けてやはり樋状カールになる。しかし、前述の場合と同様に、係止爪１５の引っ掛かり係数ＣＲが樋状カールＢＲ以下となっているから、先端部４ａの先端縁は横爪１５ｂに引っ掛かることなく、係止爪１５の頂上部を越える。
【００５４】
先端部４ａの先端縁が係止爪１５の頂上部を越えた後は、押さえリブ１６によって遮光紙４の黒色面が押さえられるが、遮光紙４は巻癖に逆らう方向に押さえられるので、印刷面が押さえられる前述の場合よりもやや挿入抵抗が大きくなる。しかし、この挿入抵抗は全く問題ない程度であり、そのまま挿入することができる。挿入を継続すると、上記と同様に遮光紙４が係止爪１５に係止される。
【００５５】
本発明に使用される遮光紙に用いられる紙支持体は、特に限定されるものでなく、天然パルプを主原料とした紙支持体のほか、必要に応じて天然パルプと合成繊維もしくは合成パルプとを任意の比率に混合した紙支持体を用いることができる。また、最近公害対策としてリサイクルが推進されている再生パルプや故紙を適当量混合した紙支持体や再生パルプや故紙からなる紙層を天然パルプからなる紙層と抄き合わせた多層構成の紙支持体を用いることができる。
【００５６】
天然パルプとしては、針葉樹，広葉樹，針葉樹広葉樹混合のクラフトパルプが好ましく、クラフトパルプに併用される天然パルプとしては、サルファイドパルプが望ましいが、ＳＣＰ，ＣＧＰ，ＴＭＰ，ＲＧＰ等の高収率パルプも適量併用することもできる。
【００５７】
本発明の紙支持体中には紙料スラリーの調整時に各種の添加剤を含有せしめることができる。特に、サイズ剤として、脂肪酸金属塩及び／又は脂肪酸、特公昭６２−７５３４号公報に記載されたアルキルケテンダイマー乳化物もくしはエポキシ化高級脂肪酸アミド、アルケニル又はアルキルコハク酸無水物乳化物、ロジン誘導体；乾燥紙力増強剤として、アニオン性、カチオン性、又は良性のポリアクリルアミド、ポリビニルアルコール、カチオン化澱粉（例えば、特開平３−１７１０４２号公報）、植物性ガラクトマンナン等；潤滑紙力増強剤として、ポリアミンポリアミドエピクロルヒドリン樹脂等；填料として、クレー、カオリン、炭酸カルシウム、酸化チタン等；定着剤として、塩化アルミニウム、硫酸バン土等の水溶性アルミニウム塩等；ｐＨ調節剤として、苛性ソーダ、炭酸ソーダ、硫酸等、その他特開昭６３−２０４２５１号公報、特開平１−２６６５３７号公報等に記載された着色顔料、着色染料、蛍光像白剤などを適宜組み合わせて含有せしめることが望ましい。
【００５８】
紙支持体中には、更に、各種の水溶性ポリマー、ラテックス、エマルジョン及び帯電防止剤等の添加剤を各種の塗布方法、スプレーやタブサイズ、サイズプレス等によって含有せしめることができる。
【００５９】
水溶性ポリマーとしては、特開平１−２６６５３７号公報に記載された澱粉系ポリマー、ポリビニルアルコール系ポリマー、ゼラチン系ポリマー、ポリアクリルアミド系ポリマー、セルローズ系ポリマーなど；帯電防止剤としては、ポリオキシエチレングリコール類等に代表される非イオン界面活性剤、第４級アンモニウム塩に代表される陽イオン界面活性剤、両性界面活性剤、アルキルアミン誘導体、脂肪酸誘導体、各種滑剤、カーボンブラック、グラファイト、金属表面被覆顔料、金属粉末、金属フレーム、炭素繊維、金属繊維、ウィスカー（チタン酸カリウム、窒化アルミナ、アルミナ）等の導電性物質があり、具体的化合物としては、塩化ナトリウム、塩化カリウム等のアルカリ金属塩、塩化カルシウム、塩化バリウム等のアルカリ土類金属塩、コロイド状シリカ等のコロイド状金属酸化物、ポリスチレンスルホン酸塩等の有機帯電防止剤などが挙げられる。
【００６０】
ラテックス、エマルジョン類として、石油樹脂エマルジョン、スチレン−アクリル酸−アクリル酸エステル共重合体、スチレン−アクリル酸−ブタジェン共重合体、エチレン−酢酸ビニル共重合体、スチレン−マレイン酸−アクリル酸エステル共重合体等のラテックス；顔料としてクレー、カオリン、タルク、硫酸バリウム、酸化チタンなど、ｐＨ調節剤として、塩酸、リン酸、クエン酸、苛性ソーダなど、そのほか前記した着色顔料、着色染料、蛍光増白剤等の添加剤を適宜組み合わせて含有せしめることが望ましい。
【００６１】
また、紙支持体単独で完全遮光を、或いは、後工程にて遮光層を付与する場合でも、補助遮光層として黒紙を遮光紙支持体に使用してもよいが、平均粒子径が１５μｍ〜８０μｍのファーネスカーボンブラック１重量％〜１５重量％、平均粒子径０．１μｍ〜５μｍの合成ゼオライト０．１重量％〜１０重量％を含む黒色の紙支持体が好ましい。特に上記黒色の紙支持体中にさらにカチオン性水溶性高分子０．０１重量％〜５重量％と黒色又は青色のカチオン染料（発色部に正電荷を持つジアリールメタン系、トリアリルメタン系、チアゾール系、メチン系、キサンチン系、オキサジン系、チアジン系、アゾ系、アントラキノン系等の染料）０．１重量％〜２重量％を含む黒色支持体を使用してもよい。
【００６２】
次いで、内添薬品を添加した紙料スラリーについて、例えば、特開昭５８−３７６４２号公報、特開昭６１−２６０２４０号公報、特開昭６１−２８４７６２号公報等に記載されているような適切な抄紙方法を採用し、長網抄紙機、丸網抄紙機など通常用いられる抄紙機を用いて、均一な地合が得られるように抄造し、更に抄造後にマシンカレンダー、スーパーカレンダー、熱カレンダー等を用いてカレンダー処理することにより、紙支持体としては、坪量は５０ｇ／ｍ2 〜１００ｇ／ｍ2 、好ましくは６０ｇ／ｍ2 〜９０ｇ／ｍ2 、厚みは４５μｍ〜１２０μｍ、好ましくは６０μｍ〜１００μｍの範囲で、又物理性能としては、感光材料に擦り傷や圧力カブリ等紙支持体表面の凹凸による悪影響を防止し、感光材料との隙間をなくし遮光性、防湿性を向上させるためにＪＩＳＰ−８１１９に規定されるベック平滑度は９０秒以上の平滑度を有する原紙が好ましく特に１２０秒以上で、透気度（ＪＩＳＰ−８１１７）は５００秒以上を有し、サイズ度は後工程、或いは遮光紙の耐水、耐湿性からステキヒドサイズ（ＪＩＳＰ−８１２２）で１０秒以上を有する支持体が好ましい。
【００６３】
また、本発明において、係止孔の係止爪による破断強度が問題となるが、カメラの巻上げ荷重としては約２００ｇ〜３００ｇの引き出し荷重を生ずる程度の駆動力負荷荷重であり、係止力としては５００ｇ以上あるのが好ましい。したがって、原紙強度としては、引張り強さ（ＪＩＳＰ−８１１３）（縦）４．５Ｋｇｆ／１５ｍｍ以上で、引裂強度（ＪＩＳＰ−８１１６）は３５ｇｆ以上の特性を有するのが好ましい。
【００６４】
遮光層を紙支持体の裏面に加工する熱可塑性樹脂としては、ＵＳＰ−２６４６３６５、ＵＳＰ−２６４６３６６、ＵＳＰ−２７５１３０９、ＵＳＰ−２９５９４９２、ＦＲ−１４４９８５２、特公昭５１−４９２０５号、特開昭４８−２２０２０号、同５０−６７６４４号、同５５−１４０８３５号、同５８−１７４３４号、同５８−１８６７４４号、同５９−６８２３８号、同６０−３５７２８号、特開平６−５１４５０号等に記載の低密度、中密度、高密度、線状低密度の各種ポリエチレンやポリプロピレン等のポリオレフィン系、エチレン酢酸ビニル等のポリビニル系、エチレンエチルアクリレートやエチレンメチルアクリレート等のアクリル系、スチレン・ブタジェン等のゴム系、アイオノマ等の単体、グラフト重合体ポリアミド系、ポリエチレン・テレフタレート等のポリエステル系、等の単体、二種以上のブレンド、或いはコポリマー等が挙げられる。上記樹脂は二層以上の層として設けてもよい。
【００６５】
樹脂に添加される遮光性物質としては、隠蔽力の優れた光吸収性遮光物質であるカーボンブラック、窒化チタンとグラファイトが好ましく、遮光性、コスト、物性向上の目的では、カーボンブラックがよい。特に、ファーネスカーボンブラックが一般的で好ましいが、チャンネル、サーマルいずれの方法によって製造されたものでもよい。特に帯電防止効果を有する遮光物質としてはアセチレンカーボンブラック、変性副生カーボンブラックであるケッチェンカーボンブラックが望ましい。
【００６６】
本発明の写真感光材料溶包装材料として使用する上でカブリの発生がなく、感光度の増減に影響を及ぼさず、遮光能力が大きく、樹脂に添加した場合でもブツやフィシュアイ等フイルム或いは皮膜中にピンホールが発生しにくい点で、カーボンブラックの中でも特に、ｐＨ６．０〜９．０、平均粒子径１０μｍ〜１２０μｍ、好ましくは１５μｍ〜１００μｍ、特に好ましくは２０μｍ〜８０μｍ、揮発成分が２．０％以下、好ましくは１．０％以下、特に好ましくは０．５％以下、吸油量が５０ｍｌ／１００ｇ以上、好ましくは７０ｍｌ／１００ｇ以上、特に好ましくは１００ｍｌ／１００ｇ以上のファーネスカーボンブラックが遮光性向上と分散性向上、写真感光材料への悪影響が少なく物理特性低下の少ない点で好ましい。
【００６７】
実際の製品としては、例えば三菱化成製のカーボンブラック＃２０（Ｂ），＃３０（Ｂ），＃３３（Ｂ），＃４０（Ｂ），＃４１（Ｂ），＃４４（Ｂ），＃４５（Ｂ），＃５０，＃５５，＃１００，＃６００，＃２２００（Ｂ），＃２４００（Ｂ），ＭＡ８，ＭＡ１１，ＭＡ１００等が挙げられる。
【００６８】
海外の製品としては、例えばキャボット社のＢｌａｃｋ  Ｐｅａｒｌｓ  ２，４６，７０，７１，７４，８０，８１，６０７等、Ｒｅｇａｌ  ３００，３３０，４００，６６０，９９１，ＳＲＦ−Ｓ等、Ｖｕｌｃａｎ３，６等、Ｓｔｅｒｌｉｎｇ  １０，ＳＯ，Ｖ，Ｓ，ＦＴ−ＦＦ，ＭＴ−ＦＦ等が挙げられる。
【００６９】
さらにアシュランドケミカル社のＵｎｉｔｅｄ  Ｒ，ＢＢ，１５，１０２，３００４，３００６，３００７，３００８，３００９，３０１１，３０１２，ＸＣ−３０１６，ＸＣ−３０１７，３０２０等が挙げられるが、これらに限定されるもではない。
【００７０】
これらの遮光物質を４重量％〜３０重量％含有した樹脂を紙支持体上に設ける手段として大きく３つの方法に分けられる。
【００７１】
その１つとしては、樹脂を有機溶剤もしくは水等に分散或いは溶解した液を紙上に塗布し嵌装させる方法である。塗布方式としては、例えばリバースワール法、ブレード法、エアナイフ法、ロッド法、カーテン法、エクストルージョン法或いはグラビア法によって塗布できるが、これに限定されるものではない。これらの方法によって得られる樹脂層の乾燥皮膜厚としては１μｍ〜２５μｍが適当である。
【００７２】
２番目の方法としては、樹脂を熱溶融させてそれを紙支持体に設ける方法がある。塗布方法としては、エクストルージョン法が一般的であるが、他の塗布方法でも差し支えない。この方法で得られる樹脂層の乾燥皮膜厚としては、５μｍ〜６０μｍが適当である。
【００７３】
最後の方法としては、インフレーション法、Ｔダイ法、キャスト法、ロール法にて均一なフイルムを２０μｍ〜４０μｍの皮膜厚で製膜し、巻取り後、ポリウレタン系、ポリエーテル系等の１〜３ｇ／ｍ2 の接着剤にてドライラミし固着させる方式であるが、本発明に使用される遮光紙はどの方式で作成されても差し支えがない。
【００７４】
遮光紙の表面に機能上必要な文字や記号、或いは、商品価値を高めるために印刷が施されているが、これらの印刷に使用されるインキとしては、感光材料に無害なものが一般に使用されている代表的な合成樹脂は、塩化ビニル・酢酸ビニル共重合体樹脂、硝化綿、ポリエステル、ポリアミドウレタン、ポリアクリル、ロジン変性マレイン酸、エチレン酢ビ、ビニールエーテル、ウレタン酢ビ、塩酢ビウレタン樹脂、変性アルキッド樹脂、変性フェノール樹脂，アルカリ可溶型樹脂（ロジン変性マレイン酸樹脂、スチレンマレイン酸樹脂、スチレンアクリル酸樹脂、アクリル酸エステルアクリル酸樹脂、メタクリル酸エステルアクリル酸樹脂）、ハイドロゾル型樹脂（スチレンマレイン酸樹脂、スチレンアクリル酸樹脂、α−メチルスチレンアクリル酸樹脂、アクリル酸エステルアクリル酸樹脂、メタクリル酸エステルアクリル酸樹脂）、エマルジョン型樹脂（スチレン樹脂、スチレンアクリル酸エステル樹脂、アクリル酸エステル共重合体樹脂、メタクリル酸エステル共重合体樹脂）、ＵＶインキ用の樹脂としてはアクリル系不飽和基を持つポリマーが一般的に使用されており、代表的な例としては、ポリエステル／アクリル酸エステル、ポリエステル／ウレタン樹脂／アクリル酸エステル、エポキシ樹脂／アクリル酸エステル、ペンタエリスリトールトリアクリレート、トリメチロールプロパントリアクリレート、ヘキサンジオールジアクリレート、ネオペンチルグリコールジアクリレート、トリエチレングリコールジアクリレート、ヒドロキシエチルメタクレートが挙げられる。
【００７５】
また、これらのインキには一般的に知られている着色剤が併用される。使用される着色剤としては、特開昭６３−４４６５３号公報等に記載されている各種顔料及びアゾ顔料（アゾレーキ；カーミン２Ｂ、レッド２Ｂ、不溶性アゾ；モノアゾイエロ（ＰＹ−１、−３）、ジスアゾイエロ（ＰＹ−１２、−１３、−１４、−１７、−８３）、ピラゾロオレンジ（ＰＯ−Ｂ−３４）、バルカンオレンジ（ＰＯ−１６）、総合アゾ系；クロモフタルイエロ（ＰＹ−９３、−９５）、クロモフタルレッド（ＰＲ−１４４、−１６６））、多環式顔料（フタロシアニン系；銅フタロシアニンブルー（ＰＢ−１５、−１５−１、−１５−３）、銅フタロシアニングリーン（ＰＧ−７）、シオキサジン系；シオキサジンバイオレット（ＰＶ−２３）、イソインドリノン系；イソインドリノンイエロ（ＰＹ−１０９，−１１０）、スレン系；ペリレン、ペリノン、フラバントロン、チオインジゴ、レーキ顔料（マラカイトグリーン、ローダミンＢ、ローダミンＧ、ビクトリアブルーＢ）又無機顔料（酸化物、二酸化チタン、ベンガラ、硫酸塩；沈降性硫酸バリウム、炭酸塩；沈降性炭酸カルシウム、硅酸塩；含水硅酸塩、無水硅酸塩、金属粉；アルミニウム粉、ブロンズ粉、亜鉛末、カーボンブラック、黄鉛、紺青等が挙げられる。また、これらの顔料は遮光性物質として前述の樹脂層、紙層等に添加しても構わない。この他に油溶性染料、分散性染料等も使用される）。その他、インキを構成する原材料として必要に応じて各種溶剤、分散剤、湿潤剤、消泡剤、レベリング剤、増粘剤、安定剤、架橋剤、ワックス、ドライヤー等の添加剤が使用される。
【００７６】
また、表面の光沢及び表面印刷箇所の保護のために保護層（ラッカーコート層又はニスとも呼ばれる）を塗工しても構わない。この時用いる保護層の種類としては、アクリル樹脂、酢酸繊維素等のセルロース系樹脂、ウレタン樹脂、エポキシ樹脂、ポリエステル樹脂、アイオノマ樹脂、ＥＥＡ樹脂、各種ポリエチレン樹脂（低密度、高密度、線状低密度ポリエチレン等）、ポリプロピレン樹脂等適宜の樹脂が使用できる。又ワックス等も使用できる。
【００７７】
また、本発明に用いるスプール用の樹脂としては、強度、耐熱性、寸度安定性、外観等の点からポリスチレン樹脂が一般に使われており、ブタジェンゴム等の合成ゴムをスチレン系モノマーに重合した耐衝撃性ポリスチレン樹脂（以後ＨＩＰＳという）又は中衝撃性ポリスチレン樹脂（以後ＭＩＰＳという）と一般用ポリスチレン樹脂（以後ＧＰＰＳという）をブレンドした樹脂を用いても、ＨＩＰＳまたはＭＩＰＳ単独の樹脂を用いても、ＧＰＰＳとゴムをブレンドした樹脂を用いてもよい。好ましいのは、ＨＩＰＳとＧＰＰＳをブレンドした樹脂を用いた場合又はＭＩＰＳ単独の樹脂を用いた場合であり、耐衝撃性、耐磨耗性が改良される。
【００７８】
ゴムの添加量は、価格、物理強度確保、射出成形性、表面強度確保（スリキズや磨耗発生防止の為）、外観等により０．５〜６．０重量％である。ゴム量が０．５重量％未満では物理強度確保、表面強度確保の点で問題があり、ゴム量が６．０重量％を越えると、射出成形性、剛性、外観、価格等の点で問題があり実用化できない。
【００７９】
なお、現在最も一般的に行なわれている重合方式として、特開昭６４−９１１３６号で使用した溶剤や分散剤を用いず単量体単独で重合する塊状重合、あるいは、一般的に工業化されている単量体、触媒、小量の溶剤を加えて行なう変則塊状重合方式や、単量体を全く溶解しないか、または殆ど溶解しない媒体（主として水）に単量体を分散させ媒体に難溶で単量体に易溶性の重合開始剤を用い重合する懸濁重合があるガ、三方式のいずれの重合方式を用いてもよい。
【００８０】
ブローニー用スプールは光によってカブリが生じる感光フイルムを遮光紙と共に光から保護しているため、当然遮光性が必要であり、そのための遮光性物質の代表例としては、以下に記載する。
【００８１】
（１）無機化合物
Ａ．酸化物・・・シリカ、ケイ藻土、アルミナ、酸化チタン、酸化鉄、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーンナイト等
Ｄ．（亜）硫酸塩・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭酸・・・カーボンブラック、グラファイト、炭素繊維、炭素中空球等
Ｇ．その他・・・鉄粉、銅粉、鉛粉、錫粉、ステンレス粉、バール顔料、アルミニウム粉、硫化モリブデン、ゼオライト、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト等
【００８２】
本発明のスプールに用いる遮光物質として、使用する上で写真感光材料に対し、カブリの発生が少なく、感光度の増減の発生が少なく、遮光能力が大きくポリスチレン樹脂に添加した場合でも固まり（ブツ）が発生しにくい点でカーボンブラックが好ましい。
【００８３】
カーボンブラックの原料による分類例をあげると、ガスブラック、ファーネスブラック、チャンネルブラック、アントラセンブラック、アセチレンブラック、ケッチェンカーボンブラック、サーマルブラック、ランプブラック、油煙、松煙、アニマルブラック、ベジタブルブラック等がある。本発明では遮光性確保、コスト、物性向上、写真特性に悪影響を及ぼさない等の目的でファーネスカーボンブラックが望ましく、高価ではあるが帯電防止効果を有する遮光性物質としてはアセチレンカーボンブラック、変則副生カーボンブラックであるケッチェンカーボンブラックが望ましい。
【００８４】
カーボンブラックの中でもｐＨ（ＪＩＳ  Ｋ  ６２２１で測定）が６．０〜９．０、好ましくは６．５〜８．５、平均粒子径（電子顕微鏡法で測定）が１０〜１２０μｍ、特に１２〜７０μｍのものが好ましく、これらの中でも特に揮発成分（ＪＩＳ  Ｋ  ６２２１で測定）が３．５％以下、最も好ましくは１．５％以下、ＤＢＰ吸油量（ＪＩＳ  Ｋ  ６２２１の吸油量Ａ法で測定）が５０ｍｌ／１００ｇ以上、最も好ましくは７０ｍｌ／１００ｇ以上のファーネスカーボンブラックである。チャンネルカーボンブラックは高価な上に、揮発成分が５．０％を越えるものが殆どで写真感光材料にカブリを発生させるものが多く好ましくない。ランプブラックもｐＨが５．０以下のものが殆どで写真性に悪影響を及ぼすので、どうしても使用する必要がある場合でも写真性に及ぼす影響を調査して選択すべきである。また、ＡＳＴＭ  Ｄ  １６１９−６０の測定方法による硫黄成分は０．９％以下、好ましくは０．７％以下にしないと写真性に悪影響を及ぼす。特に遊離硫黄成分は０．１％以下、最も好ましくは０．０５％以下のものを選択することが好ましい。
【００８５】
好ましいカーボンブラックの実際の製品としては、例えば三菱化成製のカーボンブラック＃２０（Ｂ），＃３０（Ｂ），＃３３（Ｂ），＃４０（Ｂ），４４（Ｂ），＃４５（Ｂ），＃５０，＃５５，＃１００，＃６００，＃２２００（Ｂ），＃２４００（Ｂ），ＭＡ８，ＭＡ１１，ＭＡ１００  等があげられる。海外の製品としては、例えばキャボット社のＢｌａｃｋ  Ｐｅａｒｌｓ  ２  ，４６，７０，７１，７４，８０，８１，６０７  等、Ｒｅｇａｌ  ３００，３３０，４００，６６０，９９１，ＳＲＦ−Ｓ  等、Ｖｕｌｃａｎ  ３，６等，Ｓｔｅｒｌｉｎｇ  １０，ＳＯ，Ｖ，Ｓ，ＦＴ−ＦＦ，ＭＴ−ＦＦ  等があげられる。さらに、アシュランド・ケミカル社のＵｎｉｔｅｅｌ  Ｒ，ＢＢ，１５，１０２，３００１，３００４，３００６，３００７，３００８，３００９，３０１１，３０１２，ＸＣ−３０１６，ＸＣ−３０１７，３０２０等があげられるが、これらに限定されるものではない。
【００８６】
ファーネスカーボンブラックの添加量は、価格、スプールの物理強度確保、遮光性確保、写真的悪作用防止、射出成形性、外観等の点から、０．０５〜３．００重量％が望ましい。ファーネスカーボンブラック添加量が０．０５重量％未満では、スプールの肉厚を大きくしないと、遮光性の確保ができずに光カブリが発生する。肉厚を大きくして０．０５重量％で遮光性を確保しようとすると成形サイクルが長くなり、ひけ等の成形故障が発生する上使用樹脂量が多くなりコストアップとなる。カーボン添加量が３．００重量％を越えると、高価になるだけでなくスプールの物理強度が低下しウエルドラインが発生する。また吸湿しやすくなって写真的悪作用が発生するだけでなく、スプールの外観不良（銀条、光沢ムラ、光沢低下）の発生、スプール表面の擦傷や磨耗も発生しやすくなる。さらに樹脂の流動性も悪化し射出成形性も低下する。
【００８７】
遮光物質の分散剤としては、低分子量スチレン系重合体、ポリエチレンワックス、ポリプロピレンワックス、及びこれらの誘導体類、エチレンビスアマイド類、及び、金属石鹸類から選ばれた１種または２種以上が用いられる。好ましくは、ステアリン酸亜鉛あるいはステアリン酸マグネシウムが用いられる。カーボンブラック含有マスターバッチペレットは、分散剤の添加による弊害が生じない程度に分散剤を含有できるがステアリン酸亜鉛の場合には最終の成形品で０．０１〜０．３重量％が好ましく、最終の成形品で約０．３重量％を越えると最終成形品の光沢や成形時の金型につくスウェティング（発汗）を多くし成形品への異物付着故障を招く恐れがあり、またステアリン酸亜鉛が０．０１重量％以下の場合にはその効果が十分発揮されない。
【００８８】
また、ブローニーフイルムのスプールに滑剤を添加して、遮光紙側端との滑り性を良くし、巻太り防止効果を更に向上させてもよい。具体的な滑剤としては以下のものが例示される。
【００８９】
（１）脂肪酸アミド系滑剤
（飽和脂肪酸アミド系滑剤）
▲１▼ベヘニン酸アミド系滑剤；ダイヤミッドＫＮ（日本化成）等
▲２▼ステアリン酸アミド系滑剤；アーマイドＨＴ（ライオン油脂）、アルフローＳ−１０（日本油脂）、脂肪酸アマミッドＡＰ−１（日本化成）、アマイドＳ・アマイドＴ（日東化学）、ニュートロン−２（日本精化）等
（ヒドロキシステアリン酸アミド系滑剤）
▲３▼パルミチン酸アミド系滑剤；ニュートロンＳ−１８（日本精化）、アマイドＰ（日東化学）等
▲４▼ラウリン酸アミド系滑剤；アーマイドＣ（ライオン・アクゾ）、ダイヤミッド（日本化成）等
（不飽和脂肪酸アミド系滑剤）
▲１▼エルカ酸アミド系滑剤；アルフローＰ−１０（日本油脂）、ニュートロン−Ｓ（日本精化）、ＬＵＢＲＯＬ（Ｉ・Ｃ・Ｉ）、ダイヤミッドＬ−２００（日本化成）等
▲２▼オレイン酸アミド系滑剤；アーモスリップＣＰ（ライオン・アクゾ）、ニュートロン（日本精化）、ニュートロンＥ−１８（日本精化）、アマイドＯ（日東化学）、ダイヤミッドＯ−２００・ダイヤミッドＧ−２００（日本化成）、アルフローＥ−１０（日本油脂）、脂肪酸アマイドＯ（花王）等
（ビス脂肪酸アミド系滑剤）
▲１▼メチレンビスベヘニン酸アミド系滑剤；ダイヤミッドＮＫビス（日本化成）等
▲２▼メチレンビスステアリン酸アミド系滑剤；ダイヤミッド２００ビス（日本化成）、アーモワックス（ライオン・アクゾ）、ビスアマイド（日東化学）等
▲３▼メチレンビスオレイン酸アミド系滑剤；ルブロンＯ（日本化成）等
▲４▼エチレンビスステアリン酸アミド系滑剤；アーモスリップＥＢＳ（ライオン・アクゾ）等
▲５▼ヘキサメチレンビスステアリン酸アミド系滑剤；アマイド６５（川研ファインケミカル）等
▲６▼ヘキサメチレンビスオレイン酸アミド系滑剤；アマイド６０（川研ファインケミカル）等
（２）非イオン界面活性剤系滑剤；エレクトロストリッパーＴＳ−２、エレクトロストリッパーＴＳ−３（花王石鹸）等
（３）炭酸水素系滑剤；流動パラフィン、天然パラフィン、マイクロワックス、合成パラフィン、ポリエチレンワックス（分子量６０００以下が好ましい）、ポリプロピレンワックス（分子量６０００以下が好ましい）、塩素化炭化水素、フルオロカルボン等
（４）脂肪酸系滑剤；高級脂肪酸（Ｃ12以上が好ましく、具体的にはカブロン酸、ステアリン酸、オレイン酸、エルカ酸、パルミチン酸等）、オキシ脂肪酸等
（５）エステル系滑剤；脂肪酸の低級アルコールエステル、脂肪酸の多価アルコールエステル、脂肪酸のポリグリコールエステル、脂肪酸の脂肪アルコールエステル等
（６）アルコール系滑剤；多価アルコール、ポリグリコール、ポリグリセロール
（７）金属石鹸；ラウリン酸、ステアリン酸、コハク酸、ステアリル乳酸、安息香酸、ヒドロキシステアリン酸、乳酸、フタル酸、リシノール酸、ナフテン酸、オレイン酸、パルミチン酸、エルカ酸等の高級脂肪酸とＬｉ、Ｋ、Ｎａ、Ｍｇ、Ｃａ、Ｓｒ、Ｂａ、Ｚｎ、Ｃｄ、Ａｌ、Ｓｎ、Ｐｂ、Ｃｄ等の金属との化合物があげられ、好ましいものはステアリン酸マグネシウム、ステアリン酸カルシウム、ステアリン酸亜鉛、オレイン酸マグネシウム等である。
（８）モンタン酸エステル部分鹸化物
（９）シリコーン系滑剤；各種グレードのジメチルポリシロキサン及びその変性物（信越シリコーン、東レシリコーン）
【００９０】
好ましくは、オルガノポリシロキサン類の粘度が１０００〜６００００ＣＳのジメチルポリシロキサン構造のものが０．０５〜２．２０重量％の範囲で添加されることが好ましい。
【００９１】
スプールに使用する樹脂には、適宜各種添加剤を配合することができる。具体的には、酸化防止剤、光安定剤、紫外線吸収剤、核剤、帯電防止剤、或いは、スプールの収縮率を下げるため、アルミナ，カオリン，クレー，炭酸カルシウム，マイカ，タルク，酸化チタン，シリカ等等の充填剤やガラスロービング、金属繊維、ガラス繊維、ガラスミルドファイバー、炭素繊維等の補強剤を添加してもよい。
【００９２】
以上説明した実施形態では、遮光紙の先端縁は直線状にしたが、例えば円弧状にしてもよい。
【００９３】
【発明の効果】
以上のように、本発明の写真用ロールフイルムによれば、係止爪を縦爪と横爪から構成し、縦爪の厚み方向の中心位置から横爪の先端までの長さＬが、縦爪の傾斜縁と横爪との最短水平距離をａ，傾斜縁の傾斜角をθ，一方の壁からスリットの開口に対面する横爪の端までの高さをＨとしたとき、次の数式１７を満たすとともに、係止孔が係止爪に係合した状態で横爪の先端が係止孔の縁と重なった部分の軸方向の距離である係止量ファクターＫが、係止孔の半径をｒ，縦爪の厚みの半分をｓとしたとき、次の数式１８を満たし、かつ２．８ｍｍ≦ｒ≦６．０ｍｍのときにＫ≧０．５ｍｍとなるようにしたので、遮光紙の先端部をスプールのスリットに挿入する際に先端部の先端縁がスプールの係止爪に引っ掛かるのを防止できるとともに、確実に遮光紙をスプールに係止できる。
【００９４】
【数１７】
0003695730.tif 000016
【００９５】
【数１８】
0003695730.tif 000017
【００９６】
また、前記遮光紙の先端部は、屈曲部を有しない真っ直ぐな形態としたので、遮光紙の先端部を座屈させることなく挿入力を先端部まで伝達して確実に遮光紙をスプールのスリットに挿入することができる。
【図面の簡単な説明】
【図１】本発明に係る係止爪と押さえリブを示す図４のＩ−Ｉ断面図である。
【図２】本発明の写真用ロールフイルムの外観を示す斜視図である。
【図３】遮光紙付き写真フイルムの平面図である。
【図４】スプールの係止爪に遮光紙の係止孔が係合した状態を示すスプールの側面図である。
【図５】遮光紙の先端部をスプールのスリットに挿入した状態を示す説明図である。
【図６】図５に示す状態からスプールがやや回転して係止孔が係止爪の横爪に係合した状態を示す説明図である。
【図７】図６における係止爪と係止孔との係合状態を拡大して示す説明図である。
【図８】図５における係止爪と係止孔との係合状態を拡大して示す説明図である。
【図９】樋状カールした遮光紙が横爪の端部に引っ掛かった状態を模式的に示す説明図である。
【図１０】数式８によるｓ＝０．７５ｍｍ，ｒ＝３ｍｍ，θ＝３５°で係止量ファクターＫの値を種々に変化させたときのＬとａとの関係を示すグラフである。
【図１１】数式１０によるｓ＝０．７５ｍｍ，ｒ＝３ｍｍ，θ＝３５°としたときのＣＲとａとの関係を示すグラフである。
【図１２】ＣＲとＬとの関係を示すグラフである。
【図１３】数式１６によるＬとａとの関係を示すグラフである。
【符号の説明】
１  写真用ロールフイルム
２  スプール
２ａ  軸部
３  写真フイルム
４  遮光紙
４ａ  先端部
４ｂ  係止孔
５  遮光紙付き写真フイルム
７  スリット
７ａ，７ｂ  開口部
１２ａ，１２ｂ  壁
１５  係止爪
１５ａ  縦爪
１５ｂ  横爪
１６  押さえリブ
１８，１８ａ，１８ｂ  傾斜縁
【図１】
0003695730.tif 000020
【図２】
0003695730.tif 000021
【図３】
0003695730.tif 000022
【図４】
0003695730.tif 000023
【図５】
0003695730.tif 000024
【図６】
0003695730.tif 000025
【図７】
0003695730.tif 000026
【図８】
0003695730.tif 000027
【図９】
0003695730.tif 000028
【図１０】
0003695730.tif 000029
【図１１】
0003695730.tif 000030
【図１２】
0003695730.tif 000031
【図１３】
0003695730.tif 000032